(57)【要約】【課題】ＩＣカードのかざし角度がいかなる角度でも極力データの授受を成功させるリーダライタ用ループアンテナを提供する。【解決手段】このループアンテナは、２枚に分離した基板５０、５２と、基板５０、５２の端縁部に形成された複数のランド５３、５５と、基板５０、５２上に形成されたパターン間を電気的に接続するフレキシブル基板５１により構成されている。尚、基板５０、５２上にはループアンテナを構成するパターン５４が形成されており、ランド５３、５５間をフレキシブル基板５１により接続することにより基板５０、５２上に電気的に接続されたループアンテナが形成される。【選択図】　　　図６
2004064153.tif 000002
【特許請求の範囲】
【請求項１】
ループアンテナを介して所定の変調方式に基づく搬送電力の送信とデータの授受をＩＣカードとの間で非接触にて行う非接触ＩＣカード用リーダライタにおいて、
前記ループアンテナの回路パターンを形成した複数の基板と、該複数の基板を回動自在に連結する機構的連結手段と、前記各基板上の回路パターン間を電気的に接続してループアンテナ回路を形成する電気的連結手段と、を備え、
前記機構的連結手段を介して前記複数の基板を所定の角度に折り曲げて設置することを特徴とするリーダライタ用ループアンテナ。
【請求項２】
前記機構的連結手段は、前記複数の基板の夫々の一端縁を櫛型に形成し、前記夫々の櫛型部をはめ込むことにより回動自在に連結したことを特徴とする請求項１に記載のリーダライタ用ループアンテナ。
【請求項３】
前記機構的連結手段及び電気的連結手段は、前記複数の基板の夫々の一端縁に位置するパターンの端部間を屈曲自在な材質により構成されたフレキシブル基板から構成されていることを特徴とする請求項１に記載のリーダライタ用ループアンテナ。
【請求項４】
前記電気的連結手段は、前記複数の基板上に夫々形成された回路パターンを電気的に接続することにより、前記ループアンテナの回路を構成することを特徴とする請求項１乃至３の何れか一項に記載のリーダライタ用ループアンテナ。
【請求項５】
前記複数の基板を折り曲げる角度は、前記非接触ＩＣカードが何れかのパターン面に対して交叉するようにかざされた場合、前記非接触ＩＣカードに入射する磁力線の入射角度が最大で、且つ前記磁力線の数が最大となるとなるように設定されることを特徴とする請求項１項に記載のリーダライタ用ループアンテナ。
【請求項６】
前記リーダライタは、前記ループアンテナを保護する外装カバーを備え、該外装カバーの前記非接触ＩＣカードのかざし面が前記リーダライタへ進入する方向に対する該外装カバーの傾斜角度が、前記かざし面と対向する前記基板のパターン面の傾斜角度と略等しく構成されていることを特徴とする請求項１項に記載のリーダライタ用ループアンテナ。
【請求項７】
前記リーダライタは、前記ループアンテナを保護する外装カバーを備え、該外装カバーの前記非接触ＩＣカードのかざし面が前記リーダライタからの退出する方向に対する該外装カバーの傾斜角度が、前記かざし面と対向する前記基板のパターン面の傾斜角度と略等しく構成されていることを特徴とする請求項１項に記載のリーダライタ用ループアンテナ。
【発明の詳細な説明】
【０００１】
【発明の属する技術分野】
本発明は、ループアンテナに関し、さらに詳しくは、折り曲げ可能なループアンテナに関するものである。
【０００２】
【従来の技術】
近年、ＩＣカードと呼ばれる新しい情報記録媒体が、市場に広く出回っている。ＩＣカードは、クレジットカード、銀行カード、ポイントカード等のカード状あるいはシート状の形状を備え、カードと一体的にＩＣ（Ｉｎｔｅｇｒａｔｅｄ　Ｃｉｒｃｕｉｔ）が組み込まれているものを総称した名称である。特に非接触ＩＣカードは、鉄道の駅改札における乗降時に使用される定期券等として、多くの駅で磁気カード方式と併用して採用されている。また、前記した非接触ＩＣカードはデータのやり取りをリーダライタとの間で電波を介して行うため、非接触ＩＣカードとリーダライタとの結合度が可能な限り強いことが望まれる。しかし、前記鉄道の駅改札における乗降時には、非接触ＩＣカードをリーダライタの読み取り面にかざす方法が乗客によって千差万別であり、水平にかざしたり、ある角度をもってかざしたりして、必ずしも要求する方法でかざしてくれるとは限らない。この中で、非接触ＩＣカードがリーダライタの読み取り面に対してほぼ直角にかざされた場合、リーダライタとの結合度が最も弱くなってしまう。この際、交信ミスによりエラーが発生した場合は、エラー処理として改札ゲートを閉鎖して通過を阻止するが、乗客にとってはサービスの低下となり必ずしも好ましいことではない。そのため、前記非接触ＩＣカードをリーダライタに対してどのような角度でかざされた場合でも、可能な限りエラーとならないリーダライタの出現が望まれている。図９はＩＣカード８０をリーダライタ８２の読み取り面に対してほぼ直角にかざした場合の模式図である。リーダライタ８２から放射された磁力線８１は図示しないコイルから放物線を描いて放射される。その中心にＩＣカード８０が直角にかざされた場合、磁力線８１がＩＣカード８０に入射する角度θはかなり急峻になる。また、磁力線８１の本数も最低となる。
図１０は、これとは逆にＩＣカード８０をリーダライタ８２に対してほぼ平行にかざした場合の模式図である。この場合は、磁力線８１はＩＣカード８０に対して入射角βで入射し、β＞θの関係になることは明白である。また、磁力線８１の数も最大となる。
図１１と図１２は、図９と図１０の中間の角度４５度にした場合の模式図である。この図から明らかなように、磁力線８１の入射角αは図１０のβより小さいが磁力線８１の数は図１０と同様である。以上の結果から夫々の角度の関係は、β＞α＞θとなりリーダライタとＩＣカードの電磁的な結合度は角度に比例して大きくなることがわかる。
【０００３】
【発明が解決しようとする課題】
前述したように、リーダライタは、データのやり取りを電波で行うため、利便性が高い反面その信頼性と操作性も高く要求される。つまり、従来のリーダライタにおいては、乗客のＩＣカードのかざし方によっては、改札通過時の滞留を来たし、乗客がスムーズに改札を通過できないといった問題がある。
本発明は、かかる課題に鑑み、ＩＣカードのかざし角度がいかなる角度でも極力データの授受を成功させるリーダライタ用ループアンテナを提供することを目的とする。
【０００４】
【課題を解決するための手段】
本発明はかかる課題を解決するために、請求項１は、ループアンテナを介して所定の変調方式に基づく搬送電力の送信とデータの授受をＩＣカードとの間で非接触にて行う非接触ＩＣカード用リーダライタにおいて、前記ループアンテナの回路パターンを形成した複数の基板と、該複数の基板を回動自在に連結する機構的連結手段と、前記各基板上の回路パターン間を電気的に接続してループアンテナ回路を形成する電気的連結手段と、を備え、前記機構的連結手段を介して前記複数の基板を所定の角度に折り曲げて設置することを特徴とする。
リーダライタからは常時搬送波の磁力線が発生している。その磁力線に対してＩＣカードがかざされた場合、最も起電力が大きくなる条件（つまり結合度が大きい条件）は、ＩＣカードのループアンテナに入射する磁力線の入射角度が９０°（直交する）の場合である。ところが、従来のリーダライタのループアンテナは平面的であり、ＩＣカードがそのループアンテナに対して平行にかざされることを想定している。しかし、ＩＣカードをかざす角度は利用者により千差万別であり、必ずしも結合度の高い角度でかざされるとは限らない。そこで、本発明では、リーダライタのループアンテナを機構的に折り曲げ可能とし、しかも、折り曲げられた基板間を電気的に連結するようにして、ＩＣカードをかざす角度の違いにかかわらず、ＩＣカードに入射する磁力線の角度を可能な限り直交するようにしてリーダライタとＩＣカードとの結合度を高めるものである。
かかる発明によれば、リーダライタのループアンテナの基板を折り曲げて設置することにより、ＩＣカードへの磁力線の入射角度を９０°に近づけることができ、リーダライタとＩＣカードとの結合度を高めることができる。
【０００５】
請求項２は、前記機構的連結手段は、前記複数の基板の夫々の一端縁を櫛型に形成し、前記夫々の櫛型部をはめ込むことにより回動自在に連結したことを特徴とする。
ループアンテナが形成された１枚の基板を複数に分割して、それらを機構的に連結する手段は各種あるが、その一つの手段として各基板の端部を櫛型にしてその櫛型をはめ込んで連結する方法がある。この方法の利点は連結が強固で、しかも回動が容易な点である。
かかる発明によれば、複数の基板の端部を櫛型に形成してはめ込むことにより、機械的な連結が強固でありながら回動が容易となるので、角度の調整を正確に行うことができる。
請求項３は、前記機構的連結手段及び電気的連結手段は、前記複数の基板の夫々の一端縁に位置するパターンの端部間を屈曲自在な材質により構成されたフレキシブル基板から構成されていることを特徴とする。
複数の基板を機構的に連結する他の方法は、各基板の端部間を接続するパターンを形成しておき、そのパターン間をフレキシブル基板により接続する方法である。この方法の利点は、基板の外形を加工する必要が無く、パターンを形成するだけで可能な点である。
かかる発明によれば、各基板の端部に形成されたパターン間をフレキシブル基板により接続するので、機構的連結と電気的連結を同時に実現することができる。
【０００６】
請求項４は、前記電気的連結手段は、前記複数の基板上に夫々形成された回路パターンを電気的に接続することにより、前記ループアンテナの回路を構成することを特徴とする。
複数の基板にはループアンテナのパターンが夫々形成されている。従って、これらのパターンを電気的に接続する必要がある。そして、その電気的連結手段により複数の基板を接続した時点で回路としてループアンテナが形成されることが好ましい。それには、複数の基板上に形成されたパターンの切断面を、ループアンテナの中心で分離する方法が一番パターンとして単純である。
かかる発明によれば、複数の基板上に形成されたループアンテナのパターンを中心から分離して、その間を電気的連結手段により接続することにより、ループアンテナが形成されるので、簡単なパターン構成で電気的連結手段を構成することができる。
請求項５は、前記複数の基板を折り曲げる角度は、前記非接触ＩＣカードが何れかのパターン面に対して交叉するようにかざされた場合、前記非接触ＩＣカードに入射する磁力線の入射角度が最大で、且つ前記磁力線の数が最大となるとなるように設定されることを特徴とする。
複数の基板を分割してその間を機構的、電気的に連結することにより、基板として所定の角度に設定が可能となり、それにより、パターンから放射される磁力線の入射角度と磁力線の本数を最適な値に設定することが可能となる。
かかる発明によれば、複数の基板の角度を任意に設定することが可能なため、リーダライタのループアンテナからＩＣカードへの磁力線の角度と本数を最適な値に設定することができ、両者の結合度を高くすることができる。
【０００７】
請求項６は、前記リーダライタは、前記ループアンテナを保護する外装カバーを備え、該外装カバーの前記非接触ＩＣカードのかざし面が前記リーダライタへ進入する方向に対する該外装カバーの傾斜角度が、前記かざし面と対向する前記基板のパターン面の傾斜角度と略等しく構成されていることを特徴とする。
リーダライタのループアンテナは実際の装置に組み込まれる場合、外装カバー内に実装される。例えば、駅改札装置の場合、乗客の進入方向に対して所定の角度の傾斜を設けておくことが操作性の点で好ましい。この場合、外装カバー内のループアンテナの何れかの基板は、外装カバーのかざし面と平行になるように同じ傾斜角度で実装される。
かかる発明によれば、外装カバーのかざし面の傾斜角度とかざし面と対向するパターン面の傾斜角度を同じにすることにより、かざし面とパターン面が平行になり、ＩＣカードとリーダライタの電波の結合度を強くすることができる。
請求項７は、前記リーダライタは、前記ループアンテナを保護する外装カバーを備え、該外装カバーの前記非接触ＩＣカードのかざし面が前記リーダライタからの退出する方向に対する該外装カバーの傾斜角度が、前記かざし面と対向する前記基板のパターン面の傾斜角度と略等しく構成されていることを特徴とする。
請求項６とは逆に、乗客の退出方向のかざし面の傾斜角度と、その面と対応するパターン面の傾斜角度とを同じにする。
かかる発明によれば、外装カバーのかざし面の傾斜角度とかざし面と対向するパターン面の傾斜角度を同じにすることにより、かざし面とパターン面が平行になり、ＩＣカードとリーダライタの電波の結合度を強くすることができる。
【０００８】
【発明の実施の形態】
以下、本発明を図に示した実施形態を用いて詳細に説明する。但し、この実施形態に記載される構成要素、種類、組み合わせ、形状、その相対配置などは特定的な記載がない限り、この発明の範囲をそれのみに限定する主旨ではなく単なる説明例に過ぎない。
先ず、本発明の実施形態の説明の前に、一般的なリーダライタと非接触ＩＣカード（以下、単にＩＣカードと記す）の構成と、その動作について説明しておく。図１は、リーダライタの構成を示すブロック図である。このリーダライタ１００は、図示しない外部のコンピュータとのデータの通信プロトコルを司る送受信装置１と、リーダライタ１００全体の動作を制御する制御装置２と、制御装置２を動作させる手順を記録したファームウェアを格納するメモリ装置３と、制御装置２からのデータを搬送波に乗せて変調する変調器４と、操作コマンドを入力する入力装置５と、制御装置２からの情報を表示する表示装置６と、制御装置２からの交流信号である電力供給用信号と変調器４からの書き込みコマンドを電力増幅する電力増幅器７と、ループアンテナ９から受信した信号から２値化データに変換する検波復調器８と、図示しないＩＣカードとの電力用搬送波とデータの授受をするループアンテナ９と、から構成されている。
次に、本構成によるリーダライタ１００の動作を説明する前に、対を成すＩＣカードの構成を先に説明しておく。図２は、ＩＣカードの構成を示すブロック図である。このＩＣカード２００は、前記リーダライタ１００からの電力用搬送波によりデータの授受をするループアンテナ２０と、書き込みコマンド読み出しコマンドを送受する送受信回路２１と、ループアンテナ２０からの電力用搬送波を受け、それを整流して直流電力に変換する電力生成回路２２と、制御用ファームウェアとデータの一時記憶を司るメモリ装置２３と、制御回路２６からの搬送波に送信コマンドを乗せて変調する変調器２４と、送受信回路２１からの搬送波データから２値化データに変換する復調器２５と、ＩＣカード２００の全体の動作を制御する制御回路２６から構成されている。
【０００９】
次に、図１と図２を併せて参照してそれぞれの動作について説明する。リーダライタ１００は、図示しない電源が入れられると制御装置２のイニシャル動作後、メモリ装置３に記憶されたプログラムに従い動作を開始する。まず、制御装置２は、ＩＣカード２００に供給する電力供給用信号と、ポーリング信号を交互に電力増幅器７から送信する。その信号は、ループアンテナ９から電磁波として外部に放射される。次に、ＩＣカード２００がリーダライタ１００に近接すると、ループアンテナ２０が電力供給用信号を受信し、電力生成回路２２によりその搬送波を整流して直流電力に変換して、カード内の全ての回路に供給する。電力を供給されて制御回路２６が駆動すると、メモリ装置２３に格納されたプログラムに従って、制御を開始する。
次に、ＩＣカード２００の制御回路２６は、まず送受信回路２１からコマンドを復調器２５で復調して２値化信号に変換し、そのコマンドを解析する。その結果自分が呼び出されていることを認識すると、レスポンスを、変調器２４により変調して送受信回路２１を介してループアンテナ２０から送信する。
このレスポンスをリーダライタ１００がループアンテナ９で受信して、検波復調器８で２値化コードに変換し、制御回路２により解析してＩＣカード２００が規格に合致したカードであると認識する。それにより、以後リーダライタ１００とＩＣカード２００の間で通信が行われる。ＩＣカード２００の無電池タイプは、リーダライタ１００に、このカードを近接して非接触状態でリーダライタ１００からの搬送波を内部のループアンテナ２０で受信し、それを整流して自らの電力として駆動するタイプである。従って、あくまでも最初のアクセスは、リーダライタ１００側であり（これをリーダライタｔａｌｋ　ｆｉｒｓｔ／カードｌｉｓｔｅｎと呼ぶ）、その後、リーダライタ１００からの固有の呼び出しコードを認識して初めて返信するものである。
【００１０】
このように、リーダライタとＩＣカードは夫々のループアンテナを介してデータの交信が行われるため、各ループアンテナが互いに電磁的な結合が強い程、データのＳ／Ｎが高くなってデータエラーの確率を減らすことができる。そして、ループアンテナからの起電圧Ｖはループアンテナに入射する磁力線の角度をθとすれば、Ｖ＝Ｖ×ｓｉｎθで与えられる。言い換えると、Ｖを最大にするにはｓｉｎθ＝１にすることであり、その時のθは９０度である。つまりループアンテナに入射する磁力線の角度を可能な限りループアンテナ面に対して直交するようにすることが重要である。
【００１１】
図３は本発明のリーダライタ用のループアンテナにＩＣカード３２をほぼ直交してかざした場合の磁力線との関係を説明する模式図である。点線は従来のループアンテナ３０、３５の位置を表し、本発明との比較のために記す。本発明のループアンテナは、中心線３６に対してほぼ対称的に基板３１と３４が夫々θ１、θ２の角度をもって傾斜している。本発明の場合はθ１＝θ２としているが、必ずしもその必要はない。まず、説明を簡略化するために磁力線を１本として説明する。従来のループアンテナ３５から放射された磁力線３７は入射角βでＩＣカード３２に入射する。これに対して、本発明のループアンテナ３４から放射された磁力線３３は入射角αによりＩＣカード３２に入射する。他の磁力線も同様に同じ角度で入射する。この時明らかに磁力線の入射角βとαの間には、β＜αの関係がある。これから明らかなように、磁力線の数は同じであるが、ＩＣカード３２に入射する角度が本発明の方が従来より大きくなり、図１０〜１２で説明したように、リーダライタとＩＣカードとの結合度が大きくなる。
ここで、ループアンテナ３１と３４の傾斜角θ１、θ２をさらに大きくすれば、磁力線３３の入射角αは大きくなるが、その分ＩＣカード３２のかざせる範囲が狭まり結局磁力線の数が少なくなるので、おのずと限界がある。
図４は、本発明のリーダライタ用のループアンテナにＩＣカードを水平と所定の角度でかざした場合の磁力線との関係を説明する模式図である。同じ構成要素には同じ参照番号が付されているので、重複する説明は省略する。ＩＣカード３７は従来のループアンテナ３０、３５に対して水平にかざした場合であり、本発明のループアンテナ３１、３４に対しては相対的に角度θ１、θ２で傾斜していることになる。この場合、従来のループアンテナ３０、３５に比較して磁力線の入射角度は前記図１１、１２で説明したように若干小さくなるが、その分ループアンテナとの距離が近くなり結合度をそれにより減ずるものではない。また、ＩＣカード３８の場合は、ループアンテナ３４に対しては相対的にγ＋θ２の角度で傾斜していることになり、ＩＣカード３７に比べて入射角が小さくなるが、反対にループアンテナ３１に対しては相対的にほぼ平行の関係になるので、入射角は大きくなり、両者を相殺して結合度を減ずることにはならない。
【００１２】
図５は、本発明の第１の実施形態に係るループアンテナの構造を説明する図である。（ａ）は側断面図であり、（ｂ）は上面図である。このループアンテナは、２枚に分離した基板４０、４２と、基板４０、４２の端縁部に形成された複数の櫛型の可動部４３、４４を貫通して回動可能に連結する連結棒４１と、基板４０、４２上に形成されたパターン間を電気的に接続する接続ワイヤ４６により構成されている。尚、基板４０、４２上にはループアンテナを構成するパターン４８が形成されており、ランド４５、４７間をワイヤ４６により接続することにより基板４０、４２上に電気的に接続されたループアンテナが形成される。
このループアンテナは、機構的には２枚の基板４０、４２が櫛型の可動部４３、４４により連結棒４１で連結され、電気的にはワイヤ４６により両基板のパターン間を接続している。従って、基板４０、４２を折り曲げることにより、基板上に形成されたパターン面を所定の角度傾斜させることができる。尚、本実施形態では、ワイヤ４６により両基板を電気的に接続したが、他の方法で接続しても構わない。また、櫛型の可動部の数と大きさは特に限定するものではない。
図６は本発明の第２の実施形態に係るループアンテナの構造を説明する図である。（ａ）は側断面図であり、（ｂ）は上面図である。このループアンテナは、２枚に分離した基板５０、５２と、基板５０、５２の端縁部に形成された複数のランド５３、５５と、基板５０、５２上に形成されたパターン間を電気的に接続するフレキシブル基板５１により構成されている。尚、基板５０、５２上にはループアンテナを構成するパターン５７が形成されており、ランド５３、５５間をフレキシブル基板５１により接続することにより基板５０、５２上に電気的に接続されたループアンテナが形成される。
このループアンテナは、機構的にはフレキシブル基板５１の屈曲自在な性質を利用して２枚の基板５０、５２が可動するように連結され、電気的にはフレキシブル基板５１に形成したパターン５６により両基板のパターン間を接続している。従って、基板５０、５２を折り曲げることにより、基板上に形成されたパターン面を所定の角度傾斜させることができる。
【００１３】
図７は、本発明の実施形態に係るループアンテナを改札装置に設置した一例の断面図である。改札装置は、金属、樹脂等の堅牢な材料により構成された外装カバー６０と、その内部に実装された本発明のループアンテナ６７により構成され、ループアンテナ６７は基板６３と６５がフレキシブル基板６４により接続され、基板６３が水平面に対してγ２の角度で傾斜して設置されている。また、外装カバー６０のかざし面６８はγ１の角度で傾斜している。本実施形態ではγ１＝γ２となるように構成され、かざし面６８と基板６３が平行になるように構成される。この時、基板６５は異なる方向に傾斜角が水平面に対して所定の角度、若しくは基板６３と同じ角度で傾斜して設置されている。
改札装置では乗客が矢印６６の方向から進入する場合、かざし面６８は人間工学的に算出された所定の角度でＩＣカード６１を受けるように傾斜していることが好ましい。このような構成にすることにより、ＩＣカード６１がかざし面６８上にかざされた場合、かざし面６８と基板６３は同じ角度で傾斜しているので平行になり、結果的にＩＣカード６１と基板６３が平行になって、基板６３からの磁力線をほぼ直角に受けることができる。
図８は、本発明の実施形態に係るループアンテナを改札装置に設置した他の一例の断面図である。改札装置は、堅牢な材料により構成された外装カバー７０と、その内部に実装された本発明のループアンテナ７７により構成され、ループアンテナ７７は基板７３と７５がフレキシブル基板７４により接続され、基板７５が水平面に対してγ２の角度で傾斜して設置されている。また、外装カバー７０のかざし面７８は水平面に対してγ１の角度で傾斜している。本実施形態ではγ１＝γ２となるように構成され、かざし面７８と基板７５が平行になるように構成される。この時、基板７３は異なる方向に傾斜角が水平面に対して所定の角度、若しくは基板７５と同じ角度で傾斜して設置されている。
改札装置では乗客が矢印７６の方向から進入する場合、別の観点から人間工学的に考えた場合、乗客は手より体が先に行く傾向がある。その場合、ＩＣカードをかざす位置がむしろ体の後ろ側になり、かざし面を図７とは逆にした方が操作性の上で理に叶っている場合もある。このような構成にすることにより、ＩＣカード７１がかざし面７８上にかざされた場合、かざし面７８と基板７５は同じ角度で傾斜しているので平行になり、結果的にＩＣカード７１と基板７５が平行になって、基板７５からの磁力線をほぼ直角に受けることができる。
【００１４】
【発明の効果】
以上記載のごとく請求項１の発明によれば、リーダライタのループアンテナの基板を折り曲げて設置することにより、ＩＣカードへの磁力線の入射角度を９０°に近づけることができ、リーダライタとＩＣカードとの結合度を高めることができる。
また請求項２では、複数の基板の端部を櫛型に形成してはめ込むことにより、機械的な連結が強固でありながら回動が容易となるので、角度の調整を正確に行うことができる。
また請求項３では、各基板の端部に形成されたパターン間をフレキシブル基板により接続するので、機構的連結と電気的連結を同時に実現することができる。また請求項４では、複数の基板上に形成されたループアンテナのパターンを中心から分離して、その間を電気的連結手段により接続することにより、ループアンテナが形成されるので、簡単なパターン構成で電気的連結手段を構成することができる。
また請求項５では、複数の基板の角度を任意に設定することが可能なため、リーダライタのループアンテナからＩＣカードへの磁力線の角度と本数を最適な値に設定することができ、両者の結合度を高くすることができる。
また請求項６では、外装カバーのかざし面の傾斜角度とかざし面と対向するパターン面の傾斜角度を同じにすることにより、かざし面とパターン面が平行になり、ＩＣカードとリーダライタの電波の結合度を強くすることができる。
また請求項７では、外装カバーのかざし面の傾斜角度とかざし面と対向するパターン面の傾斜角度を同じにすることにより、かざし面とパターン面が平行になり、ＩＣカードとリーダライタの電波の結合度を強くすることができる。
【図面の簡単な説明】
【図１】本発明のリーダライタの構成を示すブロック図である。
【図２】本発明のＩＣカードの構成を示すブロック図である。
【図３】本発明のリーダライタ用のループアンテナにＩＣカード３２をほぼ直交してかざした場合の磁力線との関係を説明する模式図である。
【図４】本発明のリーダライタ用のループアンテナにＩＣカードを水平と所定の角度でかざした場合の磁力線との関係を説明する模式図である。
【図５】本発明の第１の実施形態に係るループアンテナの構造を説明する図である。
【図６】本発明の第２の実施形態に係るループアンテナの構造を説明する図である。
【図７】本発明の実施形態に係るループアンテナを改札装置に設置した一例の断面図である。
【図８】本発明の実施形態に係るループアンテナを改札装置に設置した他の一例の断面図である。
【図９】従来のＩＣカードをリーダライタに対してほぼ直角にかざした場合の模式図である。
【図１０】従来のＩＣカードをリーダライタに対してほぼ平行にかざした場合の模式図である。
【図１１】従来のＩＣカードをリーダライタに対して４５度にかざした場合の模式図である。
【図１２】従来のＩＣカードをリーダライタに対して４５度にかざした場合の模式図である。
【符号の説明】
５０、５２　基板、５３、５５　ランド、５１　フレキシブル基板、５４　パターン
【図１】
2004064153.tif 000003
【図２】
2004064153.tif 000004
【図３】
2004064153.tif 000005
【図４】
2004064153.tif 000006
【図５】
2004064153.tif 000007
【図６】
2004064153.tif 000008
【図７】
2004064153.tif 000009
【図８】
2004064153.tif 000010
【図９】
2004064153.tif 000011
【図１０】
2004064153.tif 000012
【図１１】
2004064153.tif 000013
【図１２】
2004064153.tif 000014